(57)【要約】【課題】  目視時間が限られる状況や目視自体ができないような状況においても確実に操作を行なえる情報処理装置を提供する。【解決手段】  第１の位置Ｐ１がタッチされると、第１の位置Ｐ１とタッチパネル１の操作領域の縁とを結ぶ複数の線によって、タッチパネル１の操作領域を複数の領域に分割し、各領域に、実行可能な処理及び音声を対応させる。そして、第１の位置Ｐ１とは異なる第２の位置Ｐ２がタッチされると、第２の位置Ｐ２が含まれる領域Ａ４に対応した音声を発生する。【選択図】  図３
2012123689.tif 000002
【特許請求の範囲】
【請求項１】
操作領域内のタッチ操作で接触した位置に応じて該操作領域内の位置情報を生成するタッチパネルを備え、該タッチ操作に応じた処理を実行する情報処理装置であって、
音を発生する音発生手段と、
前記タッチパネルから入力された位置情報に応じて前記音発生手段から所定の音を発生させる制御手段とを備え、
前記制御手段は、
前記タッチパネルから第１の位置情報が入力されると、前記第１の位置情報に応じて得られる前記操作領域内の位置と前記操作領域の縁とを結ぶ複数の線によって、前記操作領域を複数の領域に分割する分割処理手段と、
前記複数の領域に実行可能な複数の処理と各処理に応じた音とを夫々対応させる対応処理手段と、
前記第１の位置情報とは異なる第２の位置情報が前記タッチパネルから入力されると、前記複数の領域のうち前記第２の位置情報に応じて得られる位置を含む領域に対応させた音を、前記音発生手段から発生させる音発生処理手段と
を備えることを特徴とする情報処理装置。
【請求項２】
操作領域内のタッチ操作で接触した位置に応じて該操作領域内の位置情報を生成するタッチパネルを備え、該タッチ操作に応じた処理を実行する情報処理装置であって、
振動を発生する振動発生手段と、
前記タッチパネルから入力された位置情報に応じて前記振動発生手段から所定の振動を発生させる制御手段とを備え、
前記制御手段は、
前記タッチパネルから第１の位置情報が入力されると、前記第１の位置情報に応じて得られる前記操作領域内の位置と前記操作領域の縁とを結ぶ複数の線によって、前記操作領域を複数の領域に分割する分割処理手段と、
前記複数の領域に実行可能な複数の処理と各処理に応じた振動とを夫々対応させる対応処理手段と、
前記第１の位置情報とは異なる第２の位置情報が前記タッチパネルから入力されると、前記複数の領域のうち前記第２の位置情報に応じて得られる位置を含む領域に対応させた振動を、前記振動発生手段から発生させる振動発生処理手段と
を備えることを特徴とする情報処理装置。
【請求項３】
請求項２に記載の情報処理装置において、前記振動発生手段は、前記タッチパネルを振動させることを特徴とする情報処理装置。
【請求項４】
操作領域内のタッチ操作で接触した位置に応じて該操作領域内の位置情報を生成するタッチパネルと、音を発生する音発生手段と、該タッチ操作に応じた処理を実行する制御手段とを備える情報処理装置による情報処理方法であって、
前記タッチパネルから第１の位置情報が入力されると、前記第１の位置情報に応じて得られる前記操作領域内の位置と前記操作領域の縁とを結ぶ複数の線によって、前記操作領域を複数の領域に分割する分割処理と、
前記複数の領域に実行可能な複数の処理と各処理に応じた音とを夫々対応させる対応処理と、
前記第１の位置情報とは異なる第２の位置情報が前記タッチパネルから入力されると、前記複数の領域のうち前記第２の位置情報に応じて得られる位置を含む領域に対応させた音を、前記音発生手段から発生させる音発生処理と
を含むことを特徴とする情報処理方法。
【請求項５】
操作領域内のタッチ操作で接触した位置に応じて該操作領域内の位置情報を生成するタッチパネルと、振動を発生する振動発生手段と、該タッチ操作に応じた処理を実行する制御手段とを備える情報処理装置による情報処理方法であって、
前記タッチパネルから第１の位置情報が入力されると、前記第１の位置情報に応じて得られる前記操作領域内の位置と前記操作領域の縁とを結ぶ複数の線によって、前記操作領域を複数の領域に分割する分割処理と、
前記複数の領域に実行可能な複数の処理と各処理に応じた振動とを夫々対応させる対応処理と、
前記第１の位置情報とは異なる第２の位置情報が前記タッチパネルから入力されると、前記複数の領域のうち前記第２の位置情報に応じて得られる位置を含む領域に対応させた振動を、前記振動発生手段から発生させる振動発生処理と
を含むことを特徴とする情報処理方法。
【発明の詳細な説明】
【技術分野】
【０００１】
タッチパネルを備える情報処理装置に関する。
【背景技術】
【０００２】
従来、入力装置としてタッチパネルを用いた情報処理装置が知られている。このような情報処理装置は、各処理に対応する擬似的な操作ボタンをタッチパネル上に描画し、この擬似的な操作ボタンを押下するように操作者がタッチパネルに触れることで、操作ボタンに対応させた処理を実行するように操作することができる。
【０００３】
しかしながら、タッチパネル上に描画される擬似的な操作ボタンは、物理的な操作ボタンとは異なり、操作ボタンの形状を指先で感じることや押下した感触を得ることが難しい。このため、目視できない状態においては誤操作を引き起こす恐れがある。
【０００４】
このようなタッチパネル上に描画される擬似的な操作ボタンの誤操作を低減するタッチパネルの文字認識方法及び文字入力方法が提案されている（特許文献１）。これらの方法では、タッチパネル画面の任意の位置でタッチすることにより入力操作がＯＮ状態のときに、第１の位置情報に応じて得られるタッチパネル画面の操作領域内の第１の位置を検出し、この第１の位置と操作領域の縁とを結ぶ複数の線によって操作領域を複数の領域に分割して、各領域に対応する文字をタッチパネルに表示する。
【０００５】
そして、タッチ後のスライドにより入力操作が継続したＯＮ状態であること及びスライドにより移動した第２の位置情報を検出し、第２の位置情報に応じて得られる第２の位置を含む領域に対応させた文字を認識して表示する。スライド後に、指などをタッチパネルから離すリリース操作により、入力操作がＯＦＦ状態であることを検出し、現時点で表示している文字を確定する。
【先行技術文献】
【特許文献】
【０００６】
【特許文献１】特開２００８−９６６９号公報
【発明の概要】
【発明が解決しようとする課題】
【０００７】
しかしながら、特許文献１の手法では、入力する文字をタッチパネルに表示するだけであるため、操作時には、操作の状態を把握するために画面を目視する必要がある。このため、他の作業をしながら操作する必要がある場合など、目視時間が限られる状況や目視自体ができないような状況では、タッチパネルを確実に操作することが難しい。
【０００８】
そこで、本発明は、目視時間が限られる状況や目視自体ができないような状況においても確実に操作を行なえる情報処理装置を提供することを目的とする。
【課題を解決するための手段】
【０００９】
第１の発明は、操作領域内のタッチ操作で接触した位置に応じて該操作領域内の位置情報を生成するタッチパネルを備え、該タッチ操作に応じた処理を実行する情報処理装置であって、音を発生する音発生手段と、タッチパネルから入力された位置情報に応じて音発生手段から所定の音を発生させる制御手段とを備え、制御手段は、タッチパネルから第１の位置情報が入力されると、第１の位置情報に応じて得られる操作領域内の位置と操作領域の縁とを結ぶ複数の線によって、操作領域を複数の領域に分割する分割処理手段と、複数の領域に実行可能な複数の処理と各処理に応じた音とを夫々対応させる対応処理手段と、第１の位置情報とは異なる第２の位置情報がタッチパネルから入力されると、複数の領域のうち第２の位置情報に応じて得られる位置を含む領域に対応させた音を、音発生手段から発生させる音発生処理手段とを備えることを特徴とする。
【００１０】
第１の発明によれば、操作者によってタッチパネルから第１の位置情報が入力された後、第２の位置情報が入力されると、制御手段の音発生処理手段は、第１の位置情報とは異なる第２の位置情報に応じて得られる位置を含む領域に対応させた処理に応じた音を音発生手段から発生させる。従って、操作者は、目視時間が限られる状況や目視自体ができないような状況においても、音だけでタッチ操作に応じた処理を把握でき、確実な操作が行なえる。
【００１１】
第２の発明は、操作領域内のタッチ操作で接触した位置に応じて該操作領域内の位置情報を生成するタッチパネルを備え、該タッチ操作に応じた処理を実行する情報処理装置であって、振動を発生する振動発生手段と、タッチパネルから入力された位置情報に応じて振動発生手段から所定の振動を発生させる制御手段とを備え、制御手段は、タッチパネルから第１の位置情報が入力されると、第１の位置情報に応じて得られる操作領域内の位置と操作領域の縁とを結ぶ複数の線によって、操作領域を複数の領域に分割する分割処理手段と、複数の領域に実行可能な複数の処理と各処理に応じた振動とを夫々対応させる対応処理手段と、第１の位置情報とは異なる第２の位置情報がタッチパネルから入力されると、複数の領域のうち第２の位置情報に応じて得られる位置を含む領域に対応させた振動を、振動発生手段から発生させる振動発生処理手段とを備えることを特徴とする。
【００１２】
第２の発明によれば、操作者によってタッチパネルから第１の位置情報が入力された後、第２の位置情報が入力されると、制御手段の振動発生処理手段は、第１の位置情報とは異なる第２の位置情報に応じて得られる位置を含む領域に対応させた処理に応じた振動を振動発生手段から発生させる。従って、操作者は、目視時間が限られる状況や目視自体ができないような状況においても、振動だけでタッチ操作に応じた処理を把握でき、確実な操作が行なえる。
【００１３】
第３の発明は、第２の発明において、振動発生手段がタッチパネルを振動させることを特徴とする。これによれば、振動発生手段によってタッチパネルを振動させることで、振動を伝達するための機器を別途装着させることなく、タッチパネルに触れている指などに振動を伝達させることができる。
【００１４】
第４の発明は、操作領域内のタッチ操作で接触した位置に応じて該操作領域内の位置情報を生成するタッチパネルと、音を発生する音発生手段と、該タッチ操作に応じた処理を実行する制御手段とを備える情報処理装置による情報処理方法であって、タッチパネルから第１の位置情報が入力されると、第１の位置情報に応じて得られる操作領域内の位置と操作領域の縁とを結ぶ複数の線によって、操作領域を複数の領域に分割する分割処理と、複数の領域に実行可能な複数の処理と各処理に応じた音とを夫々対応させる対応処理と、第１の位置情報とは異なる第２の位置情報がタッチパネルから入力されると、複数の領域のうち第２の位置情報に応じて得られる位置を含む領域に対応させた音を、音発生手段から発生させる音発生処理とを含むことを特徴とする。
【００１５】
第４の発明によれば、操作者によってタッチパネルから第１の位置情報が入力された後、第２の位置情報が入力されると、音発生処理は、第１の位置情報とは異なる第２の位置情報に応じて得られる位置を含む領域に対応させた処理に応じた音を音発生手段から発生させる。従って、操作者は、目視時間が限られる状況や目視自体ができないような状況においても、音だけでタッチ操作に応じた処理を把握でき、確実な操作が行なえる。
【００１６】
第５の発明は、操作領域内のタッチ操作で接触した位置に応じて該操作領域内の位置情報を生成するタッチパネルと、振動を発生する振動発生手段と、該タッチ操作に応じた処理を実行する制御手段とを備える情報処理装置による情報処理方法であって、タッチパネルから第１の位置情報が入力されると、第１の位置情報に応じて得られる操作領域内の位置と操作領域の縁とを結ぶ複数の線によって、操作領域を複数の領域に分割する分割処理と、複数の領域に実行可能な複数の処理と各処理に応じた振動とを夫々対応させる対応処理と、第１の位置情報とは異なる第２の位置情報がタッチパネルから入力されると、複数の領域のうち第２の位置情報に応じて得られる位置を含む領域に対応させた振動を、振動発生手段から発生させる振動発生処理とを含むことを特徴とする。
【００１７】
第５の発明によれば、操作者によってタッチパネルから第１の位置情報が入力された後、第２の位置情報が入力されると、振動発生処理は、第１の位置情報とは異なる第２の位置情報に応じて得られる位置を含む領域に対応させた処理に応じた振動を振動発生手段から発生させる。従って、操作者は、目視時間が限られる状況や目視自体ができないような状況においても、振動だけでタッチ操作に応じた処理を把握でき、確実な操作が行なえる。
【図面の簡単な説明】
【００１８】
【図１】本発明の情報処理装置の実施形態の構成を示す全体構成図。
【図２】情報処理装置の制御装置によって実行される処理手順を示すフローチャート。
【図３】（ａ）第１の位置情報が入力されたとき、（ｂ）第２の位置情報が入力されたとき、（ｃ）第２の位置情報とは異なる領域に含まれる第３の位置情報が入力されたときのタッチパネルの操作領域の分割及び音の発生の一例を示す図。
【図４】タッチパネルの操作領域の別の分割方法を示す図。
【発明を実施するための形態】
【００１９】
図１は、情報処理装置の実施形態の構成を示す図である。本情報処理装置は、車両に取り付けられたカーナビゲーションシステムであり、エアコン（空調装置）、ラジオ、カーナビゲーション、及びエコ表示の機能を処理する。ここで、エコ表示とは、燃料消費量の少ない運転をしているか等を表示する機能である。
【００２０】
情報処理装置は、操作領域を表示する画面を備えたタッチパネル１、入力された信号に応じて音を発生する音発生手段としてのスピーカ２、振動発生手段としての振動素子３、及び制御手段としての制御装置４から構成される。
【００２１】
タッチパネル１は、例えば、抵抗膜方式、表面型静電容量方式、又は投影型静電容量方式によって構成されるタッチパネルである。タッチパネル１は、その表面に操作者の指先が触れるタッチ操作によって電気的接点が変化し、電圧波形の変化などの電気的な変化を発生させる。この変化を検出することで、タッチ操作されたタッチパネルの位置に応じて、タッチパネル１の画面に表示された操作領域における位置情報を生成して出力する。
【００２２】
振動素子３は、例えば、回転軸上から重心をずらすことで、回転時に振動を発生する偏心モータ、又はコイルに流れる電流を変化させて、永久磁石とコイルとの間に発生する引力及び斥力を変化させることで振動を発生するボイスコイルモータなどで構成される。振動素子３は、タッチパネル１の背面に設けられ、振動素子３の振動によってタッチパネル１を振動できる。これによって、操作者がタッチパネル１をタッチ操作しているときに、振動素子３が振動することで、タッチパネル１に触れている操作者の指先に振動を伝達することができる。
【００２３】
制御装置４は、各種演算処理を実行するＣＰＵ４１とこのＣＰＵ４１で実行される各種演算プログラム、各種テーブル、演算結果などを記憶するＲＯＭ及びＲＡＭメモリからなる記憶装置（メモリ）４２とを備え、タッチパネル１が生成した位置情報などの各種電気信号が入力されると共に、演算結果などに基づいてタッチパネル１、スピーカ２及び振動素子３などを制御する制御信号を出力する。
【００２４】
制御装置４は、タッチパネル１に表示する内容を表示制御信号として出力することで表示内容を切り替え、スピーカ２から発生させる音の内容を音制御信号として出力することで発生音を切り替え、或いは、振動素子３から発生させる振動の内容を振動制御信号として出力することで発生する振動を切り替える。また、制御装置４は、タッチ操作されることで生成された位置情報が入力されると、この位置情報に応じて後述の処理を実行する。
【００２５】
ＣＰＵ４１には、分割処理手段４１ａ、対応処理手段４１ｂ、音発生処理手段４１ｃ、及び振動発生処理手段４１ｄの４つの処理が設けられており、これらの処理の詳細は後述する。
【００２６】
タッチパネル１のタッチ操作は、「タッチ」と「スライド」と「リリース」との３つの操作が可能である。「タッチ」とは、操作者の指先などがタッチパネル１の表面に触れる操作である。この操作によって、タッチパネル１は、タッチされているタッチパネル１の操作領域内の位置に応じた位置情報を生成して電気信号として出力する。「スライド」とは、タッチした後に、指先をタッチパネル１に触れたまま、タッチした位置とは別の位置まで動かす操作である。この操作によってタッチされている操作領域内の位置が変化するため、タッチパネル１は、この変化した位置に応じた位置情報を新たに生成して電気信号として出力する。「リリース」とは、タッチパネル１にタッチしている指先をタッチパネル１から離す操作である。この操作によって、タッチパネル１は、タッチが終了したことを電気信号として出力する。
【００２７】
次に、図２及び図３を参照して、タッチパネルを操作するときの本実施形態の制御装置４による制御処理について説明する。図２は、操作者によってタッチパネル１の任意の位置である第１位置Ｐ１がタッチされたときに実行される制御装置４の制御の処理手順を示すフローチャートである。図３は、タッチ操作によるタッチパネル１の表示内容及びスピーカ２から再生される音声を示す図である。
【００２８】
図２の最初のステップＳＴ１では、第１位置Ｐ１に応じてタッチパネル１の操作領域内の位置情報として第１の位置情報Ｃ１を生成する。ここで、位置情報とは、ＣＰＵ４１のプログラム内部で扱うための情報であり、例えば、図３のタッチパネル１の左上を原点［０，０］とし、右上を［Ｍ，０］、左下を［０，Ｎ］、右下を［Ｍ，Ｎ］として、タッチパネル１の操作領域の任意の位置を［ｍ，ｎ］のように２次元座標で表される。ここで、Ｍ，Ｎ，ｍ，ｎは正の数であり、Ｍ≧ｍ，Ｎ≧ｎである。このように表された位置情報は、タッチパネル１の操作領域内の位置と対になる。
【００２９】
次にステップＳＴ２に進み、第１の位置情報Ｃ１に応じて得られる第１位置Ｐ１とタッチパネル１の操作領域の縁とを結ぶ複数の線によって、操作領域を処理の数になるように複数の領域に分割する。図３の例では、エアコン、ラジオ、カーナビゲーション、及びエコ表示の４つの処理があるため、第１位置Ｐ１とタッチパネル１の操作領域の縁とを結ぶ４つの線によって、Ａ１〜Ａ４の４つの領域に分割する。このとき、図３に示されるように、タッチされた第１位置Ｐ１を基点として、上下左右の方向に４つの領域Ａ１〜Ａ４が配置されるように斜線で分割する。本ステップＳＴ２の処理を実行するプログラムが、分割処理手段４１ａに該当すると共に、本発明の処理方法における「分割処理」に該当する。
【００３０】
次にステップＳＴ３に進み、領域Ａ１〜Ａ４の各領域に、処理、音声及び振動を対応させる。図３の領域Ａ１には、エアコンに関する処理と、「エアコン」という音声と、エアコンを表す振動とを対応させる。本実施形態では、振動のパターンとして、例えば、０．５秒間隔で振動と停止を３回繰り返す振動パターン１、１秒間隔で振動と停止を２回繰り返す振動パターン２、１秒間の振動と０．５秒間の停止を２回繰り返す振動パターン３、０．５秒間の振動と１秒間の停止を３回繰り返す振動パターン４などを用意している。そして、エアコンを表す振動を振動パターン１と予め既定しておく。これにより、操作者の指先に振動パターン１の振動が伝達されると、操作者はエアコンを表す振動であると把握することができる。領域Ａ１には、エアコンに関する処理を対応させたため、エアコンを表す振動として振動パターン１を対応させる。
【００３１】
領域Ａ２には、ラジオに関する処理と、「ラジオ」という音声と、ラジオを表す振動として振動パターン２とを対応させる。領域Ａ３には、カーナビゲーションに関する処理と、「カーナビ」という音声と、カーナビゲーションを表す振動として振動パターン３とを対応させる。領域Ａ４には、エコ表示に関する処理と、「エコ表示」という音声と、エコ表示を表す振動として振動パターン４とを対応させる。本ステップＳＴ３の処理を実行するプログラムが、対応処理手段４１ｂに該当すると共に、本発明の処理方法における「対応処理」に該当する。
【００３２】
次にステップＳＴ４に進み、領域Ａ１〜Ａ４の各領域に、ステップＳＴ３で対応させた処理を説明する文字を表示する。これは、図３に示されるように、領域Ａ１に「エアコン」という文字を表示し、領域Ａ２に「ラジオ」という文字を表示し、領域Ａ３に「カーナビ」という文字を表示し、領域Ａ４に「エコ表示」という文字を表示する。ステップＳＴ１〜ＳＴ４の処理によって、タッチパネル１の表示が図３（ａ）に示されるように表示される。但し、第１位置Ｐ１は、説明の便宜上示しているだけであり実際には表示されない。
【００３３】
次にステップＳＴ５に進み、リリースされたか否かを判定する。リリースされた場合には（ステップＳＴ５の判定結果がＹＥＳ）、ステップＳＴ６に進み、初期画面に戻る。ここで、初期画面とはタッチ操作される前の画面であり、初期画面に戻った状態で再びタッチされると、ステップＳＴ１の処理が再び実行される。
【００３４】
ステップＳＴ５で、リリースされていないと判定された場合には（ステップＳＴ５の判定結果がＮＯ）、ステップＳＴ７に進み、ステップＳＴ２によって得られた複数の領域（図３の例では、領域Ａ１〜Ａ４）のいずれかの領域にスライドされたか否かを判定する。図３（ｂ）の例では、第１位置Ｐ１から領域Ａ４内の任意の位置である第２位置Ｐ２にスライドされると、第２位置Ｐ２に応じて操作領域内の位置情報として第２の位置情報Ｃ２を生成する。そして、第２の位置情報Ｃ２が領域Ａ４内にあるため、本ステップＳＴ７で領域Ａ４にスライドされたと判定される。スライドされていない場合には（ステップＳＴ７の判定結果がＮＯ）、再度ステップＳＴ５に進む。ステップＳＴ７で、スライドされたと判定された場合には（ステップＳＴ７の判定結果がＹＥＳ）、ステップＳＴ８に進み、時間を計測するタイマーを開始する。ここで、タイマーとは、時間の経過と共に値が増加するものであり、この値の大きさに応じて経過した時間の長さを知ることができる。
【００３５】
次にステップＳＴ９に進み、上記ステップＳＴ３でスライドされた領域に対応させた音声を再生する。図３（ｂ）の例では、第１位置Ｐ１から第２位置Ｐ２にスライドしているため、第２位置Ｐ２を含む領域Ａ４に対応させた「エコ表示」という音声を再生する。本ステップＳＴ９の音声を再生する処理によって、操作者は、目視をしなくとも音声を聞くことでタッチしている領域に対応する処理を把握できる。本ステップＳＴ９の処理を実行するプログラムが、音発生処理手段４１ｃに該当すると共に、本発明の処理方法における「音発生処理」に該当する。
【００３６】
次にステップＳＴ１０に進み、上記ステップＳＴ３でスライドされた領域に対応させた振動を発生する。図３（ｂ）の例では、第１位置Ｐ１から第２位置Ｐ２にスライドしているため、第２位置Ｐ２を含む領域Ａ４に対応させたエコ表示を表す振動である振動パターン４を発生する。本ステップＳＴ１０の振動を発生する処理によって、操作者は、目視をしなくともタッチパネル１の振動を指先で感じることでタッチしている領域に対応する処理を把握できる。本ステップＳＴ１０の処理を実行するプログラムが、振動発生処理手段４１ｄに該当すると共に、本発明の処理方法における「振動発生処理」に該当する。
【００３７】
次にステップＳＴ１１に進み、規定時間が経過したか否かを判定する。この判定は、ステップＳＴ８で開始したタイマーの値が、所定の値以上になっている場合には規定時間が経過したとし、所定の値未満の場合には規定時間が経過していないとする。ステップＳＴ１１で、規定時間が経過していないと判定された場合には（ステップＳＴ１１の判定結果がＮＯ）、ステップＳＴ１２に進み、他の領域へスライドされたか否かを判定する。図３（ｃ）の例では、領域Ａ４内の第２位置Ｐ２から領域Ａ１内の任意の位置である第３位置Ｐ３にスライドされている。このようなスライドが、規定時間が経過する前に行なわれた場合には、ステップＳＴ１２で他の領域へスライドされたと判定する。ステップＳＴ１２で、他の領域へスライドされたと判定された場合には（ステップＳＴ１２の判定結果がＹＥＳ）、上記ステップＳＴ８に進み、タイマーを再び最初から開始する。
【００３８】
ステップＳＴ１２で、他の領域へスライドされていないと判定された場合には（ステップＳＴ１２の判定結果がＮＯ）、ステップＳＴ１３に進み、上記ステップＳＴ５と同様に、リリースされたか否かを判定する。ステップＳＴ１３で、リリースされたと判定された場合には（ステップＳＴ１３の判定結果がＹＥＳ）、上記ステップＳＴ６に進み初期画面に戻り、リリースされていないと判定された場合には（ステップＳＴ１３の判定結果がＮＯ）、上記ステップＳＴ１１に進む。
【００３９】
ステップＳＴ１１で、規定時間が経過したと判定された場合には（ステップＳＴ１１の判定結果がＹＥＳ）、ステップＳＴ１４に進み、現時点でタッチされている位置を含む領域に、上記ステップＳＴ３で対応させた処理を実行する。図３（ｂ）のように、第１位置Ｐ１から第２位置Ｐ２にスライド後、タッチされたままの状態で規定時間が経過し、ステップＳＴ１４に進んだ場合には、第２位置Ｐ２を含む領域Ａ４に対応させたエコ表示に関する処理を実行する。この図３（ｂ）の場合に、第２位置Ｐ２に応じて得られる操作領域内の位置情報としての第２の位置情報Ｃ２が、本発明の第２の位置情報に該当する。
【００４０】
また、図３（ｃ）のように、第２位置Ｐ２から第３位置Ｐ３にスライド後、タッチされたままの状態で規定時間が経過し、ステップＳＴ１４に進んだ場合には、第３位置Ｐ３を含む領域Ａ１に対応させたエアコンに関する処理を実行する。この図３（ｃ）の場合に、第２位置Ｐ２から第３位置Ｐ３に位置が変更されたため、第３位置Ｐ３に応じて得られる操作領域内の位置情報としての第３の位置情報Ｃ３が、本発明の第２の位置情報に該当する。
【００４１】
ステップＳＴ６又はステップＳＴ１４の処理が終了すると、本制御処理を終了する。
【００４２】
以上のように、本実施形態の情報処理装置は、制御装置４によって、最初にタッチされた第１位置Ｐ１とタッチパネル１の操作領域の縁とを結ぶ複数の線によって、操作領域を処理の数になるように複数の領域に分割する。そして、各領域に処理、音声及び振動を対応させ、第１位置Ｐ１とは異なる第２位置Ｐ２にスライドされると、第２位置Ｐ２を含む領域に対応させた音声を再生すると共に、第２位置Ｐ２を含む領域に対応させた振動を発生する。
【００４３】
操作者は、音声及び振動によって、現時点でタッチしている領域に対応した処理を把握できるため、目視時間が限られる状況や目視自体ができないような状況においても確実に操作を行なうことができる。
【００４４】
また、最初にタッチする第１位置Ｐ１が操作領域内の任意の位置でよいため、操作を開始する際にも目視をする必要がない。
【００４５】
また、本実施形態の対応処理手段４１ｂは、言葉として意味を成さないような音ではなく、聞いただけで意味を理解可能な音声を再生している。例えば、図３の領域Ａ１であれば、エアコンに関する処理であることを音だけで把握可能なように、「エアコン」という言葉を再生する。従って、処理と音との対応を覚える必要がなく、簡便な操作を実現できる。
【００４６】
また、本実施形態の振動素子３は、タッチパネル１を振動させることができるように設けられている。これによって、操作者に振動を伝達させるための機器を装着させることなく、タッチ操作をしている操作者の指先などに振動を伝達させ、この振動により現時点でタッチしている領域に対応した処理を把握させることができる。
【００４７】
なお、本実施形態では、「エアコン」、「ラジオ」、「カーナビ」及び「エコ表示」のように処理の数が４つであったが、処理の数はこれに限らず、４つ未満でも、５つ以上でもよい。これによっても、領域に対応させた音声の再生又は振動の発生によって、現時点でタッチしている領域に対応した処理を操作者に把握させ、確実な操作が行なえるという本発明の効果が得られる。
【００４８】
また、本実施形態では、図３に示されるように、「エアコン」、「ラジオ」、「カーナビ」及び「エコ表示」の４つの処理を選択する例のみを示したが、処理を選択した後に、この選択した処理の詳細な処理を選択できるように画面遷移をしてもよい。この場合には、例えば、図３の領域Ａ１がタッチされている状態で図２のステップＳＴ１４に進んだ場合に、エアコンに関する処理として、エアコンの設定温度を設定する「温度設定」、エアコンから出力される風量を設定する「風量設定」、エアコンの吹き出し口を設定する「吹き出し口設定」、除湿するか否かを設定する「除湿オン・オフ」、及びエアコンの電源を入れるか否かを設定する「電源オン・オフ」という５つの処理を選択する画面に遷移する。
【００４９】
そして、この画面に遷移した後に再びタッチパネル１にタッチされると、新たにこの位置を第１位置Ｐ１として設定し、分割処理手段４１ａによって５つの領域に分割する。対応処理手段４１ｂによって、各領域に上記の５つの処理を１つずつ対応させ、各領域に対応した処理を表す音声及び振動を対応させる。
【００５０】
数多くの処理を選択できるようにすると、操作領域を分割してできる各領域の大きさが小さくなる。この場合には、意図しない領域をタッチしてしまう可能性が高くなり、誤操作が発生する恐れがある。これを回避するために選択できる処理数を少なくすると、操作者が実行できる処理が少なくなり、製品の操作性が悪化してしまう。そこで、上記のように画面遷移をさせることで、操作領域を分割してできる各領域の大きさを、意図しない領域をタッチしてしまう可能性を低く保ったまま、実行できる処理を増加させることができ、製品の操作性を向上できる。
【００５１】
また、本実施形態の分割処理手段４１ａは、図３に示されるように、斜線によって操作領域を領域Ａ１〜Ａ４に分割しているが、図４に示されるように、操作領域の縁に平行な複数の線で分割してもよい。更に、操作領域を分割する複数の線は直線である必要はなく、曲線であってもよい。これによっても、領域に対応させた音声の再生又は振動の発生によって、現時点でタッチしている領域に対応した処理を操作者に把握させ、確実な操作が行なえるという本発明の効果が得られる。
【００５２】
また、本実施形態では、音発生処理手段４１ｃと振動発生処理手段４１ｄとによって、現時点でタッチしている領域に対応した処理を操作者に把握させているが、音の再生のみ、又は振動の発生のみであってもよい。これによっても、現時点でタッチしている領域に対応した処理を操作者に把握させることができ、確実な操作を行なうことができる。
【００５３】
また、本実施形態では、聞いただけで意味を理解可能な音声を再生しているが、言葉として意味を成さないような音、例えば、ビープ音を再生するようにしてもよい。この場合には、ビープ音を断続的に再生するようにしたり、ビープ音の周波数を変更してビープ音の高さを変更することで様々なビープ音のパターンを作成することができる。
【００５４】
例えば、ビープ音の周波数として、低周波数ＦＬ［Ｈｚ］、高周波数ＦＨ［Ｈｚ］の２つの周波数で２種類の高さを表現可能にし、周波数がＦＬ［Ｈｚ］のビープ音を０．５秒間隔で再生と停止を繰り返すビープ音パターン１、周波数がＦＨ［Ｈｚ］のビープ音を０．５秒間隔で再生と停止を繰り返すビープ音パターン２、周波数がＦＬ［Ｈｚ］のビープ音を１秒間隔で再生と停止を繰り返すビープ音パターン３、周波数がＦＨ［Ｈｚ］のビープ音を１秒間隔で再生と停止を繰り返すビープ音パターン４などを用意し、エアコンに関する処理にビープ音パターン１、ラジオに関する処理にビープ音パターン２、カーナビに関する処理にビープ音パターン３、エコ表示に関する処理にビープ音パターン４を対応させる。
【００５５】
これによっても、領域に対応させたビープ音の再生によって、現時点でタッチしている領域に対応した処理を操作者に把握させ、確実な操作が行なえるという本発明の効果が得られる。
【符号の説明】
【００５６】
１…タッチパネル、２…スピーカ（音発生手段）、３…振動素子（振動発生手段）、４…制御装置（制御手段）、４１…ＣＰＵ、４１ａ…分割処理手段、４１ｂ…対応処理手段、４１ｃ…音発生処理手段、４１ｄ…振動発生処理手段、４２…メモリ。
【図１】
2012123689.tif 000003
【図２】
2012123689.tif 000004
【図３】
2012123689.tif 000005
【図４】
2012123689.tif 000006